(57)【要約】【課題】  車椅子使用者等が扉体を押開きして門扉の出入りができる内外双方向開閉自在の門扉を提供する。【解決手段】  門柱１を，その正面を幅狭，背面を幅広の正背面異幅とし且つ幅方向両側双方の側面を等角度に拡開傾斜した幅方向に対称の台形状とし，門柱１背面の調整金具３ａと扉体２の吊元框２１のヒンジ金具３ｂを用いたヒンジ３によって門柱１に扉体２を吊支持する。ヒンジ３の軸心と吊元框２１の内外方向中心線を同一線上に位置するようにし且つ門柱１の背面カバー４，端部框２１の端部カバー５によってヒンジ３を被覆する。扉体２を拡開傾斜した側面に外側に扉体２を開けるスペースが形成され，背面カバー４によって内側の開閉角度が規制されるから，開閉角度を各９５〜１２０度として，扉体２を内外双方向に押開き開閉することが可能となり，車椅子使用者等も扉体２を押すだけで門扉Ａの出入りができる。【選択図】  図３
2009052323.tif 000002
【特許請求の範囲】
【請求項１】
ヒンジを介して門柱の背面に扉体を内外方向開閉自在に吊支持した門扉であって，上記門柱の正面を幅狭，背面を幅広の正背面異幅とするとともに少なくとも吊元側一方の側面を外側に向けて拡開傾斜して門柱断面を台形状とし且つ上記扉体の吊元框の内外方向中心線を上記ヒンジの軸心と同一線上に配置して，該扉体の外側に向けた開閉角度９５〜１２０度，内側に向けた開閉角度を該外側に向けた開閉角度と同等以上として該扉体を内外双方向に押開き開閉自在としてなることを特徴とする内外双方向開閉自在の門扉。
【請求項２】
上記門柱の幅方向両側双方の側面を拡開傾斜して，上記台形状の門柱断面を幅方向に対称形状とすることによって該門柱を左右勝手自在としてなることを特徴とする請求項１に記載の内外双方向開閉自在の門扉。
【請求項３】
上記ヒンジを，門柱の幅広の背面に添設固定する金具ケース，該金具ケースに幅方向突出幅調整自在に配置したアーム及び該アームの先端に配置した軸又は軸受を備えた調整金具と，吊元框の門柱側端部の端部受座に添設固定したベース，該ベースの内外方向中央位置に突出した突出片及び該突出片の先端に配置した軸受又は軸を備えて平面Ｔ字状としたヒンジ金具とによって形成してなることを特徴とする請求項１又は２に記載の内外双方向開閉自在の門扉。
【請求項４】
上記ヒンジを，門柱の幅広の背面に添設固定する金具ケース，該金具ケースに幅方向突出幅調整自在に配置したアーム及び該アームの先端に配置した軸又は軸受を備えた調整金具と，吊元框の門柱側に向けて突出形成した突出受座に添設固定したベース，該ベースの先端に配置した軸受又は軸を備えて平面倒二分又は四分音符状としたヒンジ金具とによって形成してなることを特徴とする請求項１又は２に記載の内外双方向開閉自在の門扉。
【請求項５】
上記門柱の幅広の背面に，上記調整金具の背面側を被覆する門柱の全長に及ぶ背面カバーを配置するとともに上記吊元框の端部にその正背面側でヒンジ金具を被覆する吊元框の全長に及ぶ端部カバーを配置してなることを特徴とする請求項３又は４に記載の内外双方向開閉自在の門扉。
【請求項６】
上記調整金具の金具ケースが上下同一位置にそれぞれ２ヶ所のネジ透孔を備え，その門柱背面に対する添設固定を，該各ネジ透孔からのネジを門柱背面の背面板部を介してその裏面に配置した裏板の雌ネジに螺入固定する上下各２ヶ所のネジ止め用とし且つ上記背面板部及び裏板に上下各３ヶ所の透孔及び雌ネジを配置し，その幅方向中央を共通使用し，幅方向左右一方を選択使用することによって金具ケース反転の添設固定を自在としてなることを特徴とする請求項３，４又は５に記載の内外双方向開閉自在の門扉。
【発明の詳細な説明】
【技術分野】
【０００１】
本発明は門扉に関し，特に内外双方から扉体を押圧してその開成をなし得るようにした内外双方向開閉自在の門扉に関する。
【背景技術】
【０００２】
道路と敷地の出入用として設置使用される門扉は，片開き，両開きとも，一般に門柱にヒンジを介して扉体を吊支持したものとされており，このときヒンジは，例えば門柱の背面に添設固定する金具ケース，該金具ケースに幅方向突出幅調整自在に配置して背面側に屈曲したアーム及び該アームの先端に配置した軸を備えた調整金具と，吊元框に添設固定したベース，該ベースに配置した軸受を備えたヒンジ金具とによって形成したものとされ，この場合，その扉体は，内側に向けた開閉を常態とするものとされ，また，その開閉角度は一般に９０度乃至それ以上とされている。
【０００３】
【特許文献１】特開２００２−１２９８２２号
【発明の開示】
【発明が解決しようとする課題】
【０００４】
このように扉体を内側に９０度乃至それ以上の角度に開閉するようにした門扉は長年に亘って使用されており，その構造上も問題はない。しかし乍ら，この場合，扉体は内側に向けて開閉するのを常態とするから，門扉の利用者が扉体を開成して出入りするには，道路に出るとき，例えば扉体の戸先乃至上框を手前に引くようにして内側に引き開きする一方，道路から入るとき，扉体を押すように押開きするとともに併せて扉体の閉成を行うことが必要である。このため，例えば門扉利用者が車椅子使用者や車椅子を押して出入する介助者であるとき，道路から入るときには錠を外して，そのまま扉体を押して扉体を開成して敷地内に入り，扉体戸先の回動範囲を通過した後に，扉体を押すように戻せば扉体は閉成して閉成位置で施錠されるから，特段の問題はないが，道路に出るときには，車椅子使用者は，錠を外して扉体戸先の回動範囲から外れた位置に車椅子を移動し，手を伸ばす等して扉体を手前に引いて扉体を開成するとともに手を伸ばしたまま扉体の戸先を手持する等して扉体を閉成しつつ道路に出るといった煩雑な動作を行う必要があり，また車椅子を押して出入する介助者は，車椅子を扉体戸先の回動範囲から外れた位置に一度置いて，錠を外して扉体を開成し，車椅子の位置に戻って車椅子を押して道路に出た後，再度車椅子を置いて，扉体の位置に戻り，扉体を手前に引いてその閉成を行った後に車椅子位置に戻るといった同じく煩雑な動作を行う必要がある。また身体障害者や高齢者にとっても，特に道路に出るに際して，扉体の開閉のために上記煩雑な動作を行うことは必ずしも容易であるとはいえず，従って門扉にはこのように一部の門扉利用者にとって使い勝手が悪いという問題点を残している。
【０００５】
本発明はかかる事情に鑑みてなされたものであって，その解決課題とするところは，車椅子使用者，介助者，身体障害者，高齢者等を含めて，扉体の開閉を可及的に容易になし得るようにすることによって，門扉利用者にとって使い勝手を良好とした内外双方向開閉自在の門扉を提供するにある。
【課題を解決するための手段】
【０００６】
上記課題に沿って本発明は，門柱を断面台形状として，正面を幅狭，背面を幅広，少なくとも吊元側の側面を外側に向けて拡開傾斜するとともに幅広背面にヒンジを介して且つ該ヒンジの軸心と扉体の吊元框の内外方向の中心線を同一線上に配置することによって，上記側面拡開傾斜による拡開スペースを利用して扉体を外側に向けて９５〜１２０度の設定角度で開閉可能とし，また内側に向けた開閉の設定角度を該外側に向けた設定角度と同等乃至それ以上とすることによって扉体を内外双方向に押開き自在として，出入に際して門扉の開閉を，常に出入方向に扉体を押す動作によってなし得るようにしたものであって，即ち請求項１に記載の発明を，ヒンジを介して門柱の背面に扉体を内外方向開閉自在に吊支持した門扉であって，上記門柱の正面を幅狭，背面を幅広の正背面異幅とするとともに少なくとも吊元側一方の側面を外側に向けて拡開傾斜して門柱断面を台形状とし且つ上記扉体の吊元框の内外方向中心線を上記ヒンジの軸心と同一線上に配置して，該扉体の外側に向けた開閉角度９５〜１２０度，内側に向けた開閉角度を該外側に向けた開閉角度と同等以上として該扉体を内外双方向に押開き開閉自在としてなることを特徴とする内外双方向開閉自在の門扉としたものである。
【０００７】
請求項２に記載の発明は，上記に加えて，門柱の両側面を拡開傾斜することによって，門柱の扉体吊支持を，同一の門柱を用いていずれの側面においても可能として，該門柱を左右勝手自在のものとするように，これを，上記門柱の幅方向両側双方の側面を拡開傾斜して，上記台形状の門柱断面を幅方向に対称形状とすることによって該門柱を左右勝手自在としてなることを特徴とする請求項１に記載の内外双方向開閉自在の門扉としたものである。
【０００８】
請求項３及び４に記載の発明は，同じく上記に加えて，それぞれ軸金具を調整金具とすることによって門柱に対する扉体の吊支持調整を可能とするとともに軸受金具を吊元框から門柱側に突出してヒンジ軸にヒンジ軸受を被嵌するようにして，ヒンジの軸心と内外方向中心線を同一線上に配置するとともにヒンジと吊元框の位置関係を規制して，該軸心から吊元框を離隔するように配置して，幅厚の吊元框が門柱に近接することにより該吊元框のヒンジ側端部が門柱に当る可能性を解消して，扉体の吊支持を内外双方向の開閉を行うに適したものとするように，請求項３に記載の発明を，上記ヒンジを，門柱の幅広の背面に添設固定する金具ケース，該金具ケースに幅方向突出幅調整自在に配置したアーム及び該アームの先端に配置した軸又は軸受を備えた調整金具と，吊元框の門柱側端部の端部受座に添設固定したベース，該ベースの内外方向中央位置に起立した突出片及び該突出片の先端に配置した軸受又は軸を備えて平面Ｔ字状としたヒンジ金具とによって形成してなることを特徴とする請求項１又は２に記載の内外双方向開閉自在の門扉とし，請求項４に記載の発明を，上記ヒンジを，門柱の幅広の背面に添設固定する金具ケース，該金具ケースに幅方向突出幅調整自在に配置したアーム及び該アームの先端に配置した軸又は軸受を備えた調整金具と，吊元框の門柱側に向けて突出形成した突出受座に添設固定したベース，該ベースの先端に配置した軸受又は軸を備えて平面倒二分又は四分音符状としたヒンジ金具とによって形成してなることを特徴とする請求項１又は２に記載の内外双方向開閉自在の門扉としたものである。
【０００９】
請求項５に記載の発明は，同じく上記に加えて，内外押開きの開閉を行うために配置した門柱背面の調整金具及び門柱と扉体吊元框間のヒンジ金具がそれぞれ露出するのを防止し，外観を良好とするとともに児童等の悪戯誘発等を防止し得るものとするように，これを，上記門柱の幅広の背面に，上記調整金具の背面側を被覆する門柱の全長に及ぶ背面カバーを配置するとともに上記吊元框の端部にその正背面側でヒンジ金具を被覆する吊元框の全長に及ぶ端部カバーを配置してなることを特徴とする請求項３又は４に記載の内外双方向開閉自在の門扉としたものである。
【００１０】
請求項６に記載の発明は，同じく上記に加えて，門柱背面に対する調整金具の添設固定を，裏板を用いて調整金具側からの上下各２ヶ所のネジ止めによって行うとともに門柱の背面板部に透孔を，裏板に雌ネジをそれぞれ上下各３ヶ所配置することによって，単に調整金具を反転するだけで門柱の双方の側面に対する該調整金具のネジ止めを可能とし，門扉設置の作業性を可及的高度に確保し得るものとするように，これを，上記調整金具の金具ケースが上下同一位置にそれぞれ２ヶ所のネジ透孔を備え，その門柱背面に対する添設固定を，該各ネジ透孔からのネジを門柱背面の背面板部を介してその裏面に配置した裏板の雌ネジに螺入固定する上下各２ヶ所のネジ止め用とし且つ上記背面板部及び裏板に上下各３ヶ所の透孔及び雌ネジを配置し，その幅方向中央を共通使用し，幅方向左右一方を選択使用することによって金具ケース反転の添設固定を自在としてなることを特徴とする請求項３，４又は５に記載の内外双方向開閉自在の門扉としたものである。
【００１１】
本発明は，これらをそれぞれ発明の要旨として，上記課題解決の手段としたものである。
【発明の効果】
【００１２】
本発明は以上のとおりに構成したから，請求項１に記載の発明は，門柱を断面台形状として，正面を幅狭，背面を幅広，少なくとも吊元側の側面を外側に向けて拡開傾斜するとともに幅広背面にヒンジを介して且つ該ヒンジの軸心と扉体の吊元框の内外方向の中心線を同一線上に配置することによって，上記側面拡開傾斜による拡開スペースを利用して扉体を外側に向けて９５〜１２０度の設定角度で開閉可能とし，また内側に向けた開閉の設定角度を該外側に向けた設定角度と同等乃至それ以上とすることによって扉体を内外双方向に押開き自在として，出入に際して門扉の開閉を，常に出入方向に扉体を押す動作によってなし得るようにして，車椅子使用者，介助者，身体障害者，高齢者等を含めて，扉体の開閉を可及的に容易になし得るようにすることによって，門扉利用者にとって使い勝手を良好とした内外双方向開閉自在の門扉を提供することができる。
【００１３】
請求項２に記載の発明は，上記に加えて，門柱の両側面を拡開傾斜することによって，門柱の扉体吊支持を，同一の門柱を用いていずれの側面においても可能として，該門柱を左右勝手自在のものとすることができる。
【００１４】
請求項３及び４に記載の発明は，同じく上記に加えて，それぞれ軸金具を調整金具とすることによって門柱に対する扉体の吊支持調整を可能とするとともに軸受金具を吊元框から門柱側に突出してヒンジ軸にヒンジ軸受を被嵌するようにして，ヒンジの軸心と内外方向中心線を同一線上に配置するとともにヒンジと吊元框の位置関係を規制して，該軸心から吊元框を離隔するように配置して，幅厚の吊元框が門柱に近接することにより該吊元框のヒンジ側端部が門柱に当る可能性を解消して，扉体の吊支持を内外双方向の開閉を行うに適したものとすることができる。
【００１５】
請求項５に記載の発明は，同じく上記に加えて，内外押開きの開閉を行うために配置した門柱背面の調整金具及び門柱と扉体吊元框間のヒンジ金具がそれぞれ露出するのを防止し，外観を良好とするとともに児童等の悪戯誘発等を防止し得るものとすることができる。
【００１６】
請求項６に記載の発明は，同じく上記に加えて，門柱背面に対する調整金具の添設固定を，裏板を用いて調整金具側からの上下各２ヶ所のネジ止めによって行うとともに門柱の背面板部に透孔を，裏板に雌ネジをそれぞれ上下各３ヶ所配置することによって，単に調整金具を反転するだけで門柱の双方の側面に対する該調整金具のネジ止めを可能とし，門扉設置の作業性を可及的高度に確保し得るものとすることができる。
【発明を実施するための最良の形態】
【００１７】
以下図面の例に従って本発明を更に具体的に説明すれば，図１乃至図３において，Ａは，ヒンジ３を介して門柱１の背面に扉体２を内外方向開閉自在に吊支持して，例えば内外両開き形態とした門扉であり，該門扉Ａは，上記門柱１の正面を幅狭，背面を幅広の正背面異幅とするとともに少なくとも吊元側一方の側面を外側に向けて拡開傾斜して門柱断面を台形状とし且つ上記扉体２の吊元框２１の内外方向中心線を上記ヒンジ３の軸心と同一線上に配置して，該扉体２の外側に向けた開閉角度９５〜１２０度，内側に向けた開閉角度を該外側に向けた開閉角度と同等以上として該扉体２を内外双方向に押開き開閉自在とした内外双方向開閉自在の門扉としてある。
【００１８】
本例の門扉Ａは，門柱１及び扉体２を，アルミ押出材を用いて構成したアルミ製のものとしてあり，開口の左右両側に一対の門柱１及び扉体２をそれぞれ同一構成としたものを用いて部材の共通化を図ったものとしてある。
【００１９】
本例の門柱１は，その幅方向両側双方の側面を等角度に拡開傾斜して，上記台形状の門柱断面を幅方向に対称形状とすることによって該門柱１を左右勝手自在としてあり，即ち本例にあって門柱１は，幅広の背面板１１と，幅狭の正面板１３と，上記幅広の背面板１１端部から対向方向に向けた緩傾斜の連結板１４を介して，該連結板１４の端部と背面板１１の端部とを結ぶ同一傾斜角度に拡開傾斜した両側の傾斜側面板１５とを備えて，上記断面台形状をなす中空のものとしてあり，このとき該門柱１は，正面板１３及び傾斜側面板１５を含めてその外周面を垂直な平坦な面をなすものとしてある。本例にあって上記連結板１４は，傾斜側面板１５を配置したことによって，背面板１１のやや幅方向内側から正面板１３の端部に向けて傾斜したものとしてあり，このときその傾斜角度は，扉体２を外側に開成したとき，その開成の設定角度と平行な傾斜面を形成するように，これを，扉体２の開閉角度と同じく９５〜１２０度，本例にあっては１００度としてある。
【００２０】
本例の門柱１は，その断面形状を上記台形状の中空をなすものとすることによって，そのデザインを道路側の外側が幅狭となった独自のものとするとともに，矩形中空の断面形状を有する従来の門柱と同等程度にして，門柱１として必要且つ十分な断面性能を確保することが可能となる一方，本例にあっては幅方向に対称形状のものとしたことによって，左右いずれに扉体２の吊支持を行っても，常に高度な断面性能を維持して，該吊支持を安定且つ確実に行うものとすることができる。
【００２１】
扉体２は，例えば，吊元框２１，戸先框及び上下の横框を框組するとともに該框組内に多数の縦小桟を配置した縦格子タイプのものとしてあり，本例にあって該扉体２は，例えば上下桟間に多数の縦小桟を起立配置した仕切パネルを框組内に装着することによって，これを形成してある。
【００２２】
門柱１には，それぞれ上下一対のヒンジ３を介して各扉体２を吊支持してあり，このとき本例のヒンジ３は，これを，門柱１の幅広の背面に添設固定する金具ケース３１，該金具ケース３１に幅方向突出幅調整自在に配置したアーム３３及び該アーム３３の先端に配置した軸又は軸受，本例にあっては軸３４を備えた調整金具３ａと，吊元框２１の門柱側端部の端部受座２２，即ち側面板に添設固定したベース３５，該ベース３５の内外方向中央位置に突出した突出片３６及び該突出片３６の先端に配置した軸受又は軸，本例にあっては軸受３７を備えて平面Ｔ字状としたヒンジ金具３ｂとによって形成したものとしてあり，これによって軸受金具を吊元框から門柱側に突出してヒンジ軸にヒンジ軸受を被嵌するようにして，ヒンジの軸心と内外方向中心線を同一線上に配置するとともにヒンジと吊元框の位置関係を規制して，該軸心から吊元框を離隔するように配置して，幅厚の吊元框が門柱に近接することにより該吊元框のヒンジ側端部が門柱に当る可能性を解消して，扉体の吊支持を内外双方向の開閉を行うに適したものとしてある。
【００２３】
調整金具３ａは，上記金具ケース３１，アーム３３及びその先端の軸３４を含めて鋳造部品としてあり，このときアーム３３はその後端に上記金具ケース３１に，例えば遊嵌状に配置した嵌挿部を備えるとともに金具ケースの一側壁から該嵌挿部の後端に螺入したネジ３２によってその進退を行うことによって，該アーム３３の上記幅方向突出幅を調整自在としてあり，また該嵌挿部は，金具ケース３１から該嵌挿部に対して直交するように配置した固定ネジ（図示省略）によってその揺動を防止するようにしてある。
【００２４】
本例の調整金具３ａは，更にその金具ケース３１が上下同一位置にそれぞれ２ヶ所のネジ透孔を備え，その門柱背面に対する添設固定を，該各ネジ透孔からのネジを門柱背面の背面板部を介してその裏面に配置した裏板の雌ネジに螺入固定する上下各２ヶ所のネジ止め用としてあり，このとき上記背面板部１１及び裏板１６に上下各３ヶ所の透孔１２及び雌ネジ１７を配置し，その幅方向中央を共通使用し，幅方向左右一方を選択使用することによって金具ケース３１反転の添設固定を自在としてある。これにより金具ケース３１を上下に反転し且つアーム３３を左右に反転してアーム３３の突出方向を幅方向に逆にして門柱１に固定使用し得るように左右勝手自在のものとしてあり，従って上記左右勝手自在とした，本例の門柱１のいずれにも該調整金具３ａを共通に用いて，上記上下各３ヶ所のうち幅方向任意の２ヶ所の透孔１２及びネジ１７を用いてそのネジ固定をなし得るようにしてある。
【００２５】
ヒンジ金具３ｂは，例えばアルミ押出材を所定長さに切断し且つボルト孔を透設加工したものとしてあり，内外方向両端に透孔を有するベース３５と，該ベース３５の透孔間の内外方向中央位置に起立した突出片３６と，該突出片３６の先端に内外方向に膨出するように配置した軸受３７とを備えて上記Ｔ字状のものとしてあり，該ヒンジ金具３ｂは，そのベース３５を，本例にあって平面矩形断面に形成した吊元框２１の上記端部受座２２をなす側面板に，ヒンジ３の軸心と吊元框２１の内外方向中心線に一致するように対接固定してある。該対接固定は，上記調整金具３ｂの門柱１へのネジ止めと同様に，ベース３５を吊元框２１側面に突き当て状に対接し，ベース３５の上記透孔から挿入したネジ３８を吊元框２１側面の板部を貫通して，吊元框２１の裏面に配置した裏板２３の雌ネジに螺入固定して，これを行うものとしてある。
【００２６】
このとき本例の門扉Ａにあって，上記門柱１の幅広の背面に，上記調整金具３ａの背面側を被覆する門柱１の全長に及ぶ背面カバー４を配置するとともに上記吊元框２１の端部にその正背面側でヒンジ金具３ｂを被覆する吊元框２１の全長に及ぶ端部カバー５を配置してあり，これによって門柱１の背面に配置した調整金具３ｂの露出を防止するとともに上記Ｔ字状をなすことによって吊元框２１の側面から軸受３７が離隔するように吊元框２１に配置したヒンジ金具３ｂの露出を防止し，これら門柱１と吊元框２１間を外観よく被覆し，例えば調整金具３ａやヒンジ金具３ｂを外したりする如き悪戯の誘発を防止するようにしてある。またこのとき調整金具３ａを被覆する背面カバー４は，これを配置することによって，扉体２の内側への開閉角度を，上記門柱１による開閉角度の外側に向けた設定角度の規制に準じてこれと同等の９５〜１２０度，本例にあっては１００度に規制するように設定してあり，門柱１に対する内外方向の開閉角度を略同じ角度に規制することによって，門扉Ａにおける表裏の差異を少なくして，該表裏の区別を可及的になくしたものとしてある。
【００２７】
本例にあって背面カバー４は，例えば幅方向に対称形状の断面コ字状乃至Ｕ字状にして調整金具３ａのアーム３３位置で切欠き乃至透孔を設けて，該アーム３３を扉体２側に貫通するようにしたアルミ押出材によるものとしてあり，該背面カバー４は，門柱１の背面板１１の長手方向，即ち上下方向に複数，例えばＳ字状に形成した上下端近傍の一対のブラケット（図示省略）にネジ固定してある。該ブラケットに対する固定は，その門柱１への設置状態で背面側に突出したブラケットの垂直突片に形成した雌ネジに背面カバー４からのネジを螺入固定することによって，これを行ってある。
【００２８】
このとき本例の背面カバー４は，その幅方向両側面を門柱１の背面板１１に対して直交する平行面とするとともに背面板１１からその背面側への突出幅をヒンジ金具３ｂの長さと同等乃至それ以下としてあり，これによって扉体２の開閉に際して吊元框２１が該背面カバー４の内側に位置して該吊元框２１が背面カバー４に衝接するのを防止するとともに扉体２を内側に上記９５〜１２０度，本例にあって１００度に開成したとき，ヒンジ金具３ｂとの間に小間隙を介して対面するようにし，例えば設定角度を幾分超えた開成によってもヒンジ金具３ｂが調整金具３ａに直接に衝接することのないようにしてある。
【００２９】
吊元框２１のヒンジ金具３ｂを被覆する端部カバー５は，例えば，内外に複数部材，本例にあってはヒンジ金具３ｂの突出片３６に固定する内側カバー部材５１と，該内側カバー部材５１及び吊元框２１に，例えばスライド乃至スナップイン配置する外側カバー部材５２の２部材によって形成してあり，同じく先端に調整金具３ａのアーム３３位置で切欠き乃至透孔を設けて，該アーム３３を門柱１側に貫通するようにしたアルミ押出材によるものとしてあり，本例にあって内側カバー部材５１及び外側カバー部材５２は，例えば吊元框２１から軸受３７の外周中央位置までの内側及び外側の各片側をそれぞれ分担被覆して，その先端を軸受３７の内外方向中央位置の上下で相互に突合せ状としてその被覆を行うものとしてある。
【００３０】
これら２部材による端部カバー５は，その一方の，本例にあって内側カバー部材５１の固定片をヒンジ金具３ｂの突出片３６にネジ５３固定して，該ヒンジ金具３ｂに先付する一方，その固定片の幅方向両端にスナップイン係止一方の係止条を配置し，該係止条に対して，外側カバー部材５２の，突出片３６位置で切欠きを設けて内側に突設した一対の脚片に同じく配置したスナップイン係止他方の係止条をスナップイン係止して，上記ヒンジ金具３ｂに先付けした内側カバー材５１に外側カバー部材５２を後付するとともに，その各吊元框２１側後端に形成した係合突起を，ヒンジ金具３ｂにおけるベース３５の内外両端に形成したＬ字状の段部と吊元框の側面板部間に形成した受溝に係合して，内側カバー部材５１及び外側カバー部材５２の後端を係合保持することによって，該内側カバー部材５１と外側カバー部材５２の端部カバー５によってヒンジ金具３ｂを被覆するように配置したものとしてある。
【００３１】
このように背面カバー４及び端部カバー５を配置したから，上記ヒンジ金具３ｂを吊元框２１から門柱１側に突出配置して幅広のヒンジ３を形成したことにより門柱１と吊元框２１間に幅広の空隙が形成されるところ，該空隙を閉塞して門柱１と扉体２が近接した外観を呈するものとなり，該扉体２を内外双方向に押開き開成するように構成しながら，従来の門扉におけると同様に扉体２の良好な納まりを確保したものとすることができる。
【００３２】
図中１８は門柱の上端において門柱１とともに，下端において単独で背面カバー４の開口を閉塞するように配置した端部キャップ，２４は同じく吊元框２１の上下端において該吊元框２１とともに端部カバー５の開口を閉塞するように配置した端部キャップを示す。
【００３３】
図４は，他の例のヒンジ金具３ｂを用いてヒンジ３を形成した場合を示すもので，本例にあって該ヒンジ金具３ｂは，これを，吊元框２１の門柱１側に向けて突出形成した突出受座２２に添設固定したベース３５，該ベース３５の先端に配置した軸受又は軸を備えて平面倒二分又は倒四分音符状，本例にあっては該ヒンジ金具３ｂが軸受３７を備えることによって倒二分音符状に形成したものとして，上記平面Ｔ字状のヒンジ金具と同様に軸受金具を吊元框から門柱側に突出して，ヒンジの軸心と内外方向中心線の同一線上の配置及びヒンジと吊元框の位置関係の規制を行うものとしてある。このとき該ヒンジ金具３ｂとヒンジ３を形成する調整金具３ａは，これをアーム３３先端に軸３４を備えた上記例のものと同一のものを用いてある。
【００３４】
本例の吊元框２１は，その門柱側の外側面を，上記外側カバー部材５２と同様の形状をなすものとして，該外側カバー部材５２を吊元框２１に一体に配置するとともに側面板の内外方向中間位置から門柱側に向けて突出受座２２を突出形成して，その内側を開放した同じくアルミ押出材によるものとし，該内側には内側カバー部材５１を配置し，上記吊元框２１に一体配置の外側カバー部材５２と該内側カバー部材５１の端部カバー５でヒンジ金具３ｂを覆うようにしてある。
【００３５】
本例のヒンジ金具３ｂは，その上記ベース３５を該突出受座２２の内側面に対接して，ベース３５からのネジ３８を該突出受座２２の透孔を介してその裏面に配置した裏板２３の雌ネジに螺入固定するとともにその先端に膨出するように配置した軸受３７がベース３５の外側に位置するように配置することによって，該吊元框２１の内外方向中心線がヒンジ３の軸心と同一線上に位置するようにしてある。
【００３６】
一方，上記端部カバー５の内側カバー部材５１は，吊元框２１における側面板の内側端部と該内側カバー部材５１の吊元側端部にそれぞれスナップイン係止一方及び他方の係止条を配置してこれらをスナップイン係止して，吊元框２１に片持ち状に固定するとともにその先端を軸受３７の外周に沿って湾曲してその先端を上記吊元框２１に一体配置の外側カバー部材５２の先端と重合するように配置してあり，このときこれら内側カバー部材５１及び外側カバー部材５２の端部カバー５は，その断面形状乃至外観を上記例におけるものと略等しくするように形成してある。その余は上記例と変らないので同一符合を付して重複する説明を省略する。
【００３７】
以上のように形成した門扉Ａは，その扉体を内外双方向いずれも押開き開閉して出入可能となり，車椅子使用者，介助者，身体障害者，高齢者等を含めて，扉体の開閉を可及的に容易になし得て，使い勝手を良好とするとともに納まり外観の良好な内外双方向開閉自在の門扉とすることができる。
【００３８】
図示した例は以上のとおりとしたが，扉体の外側に向けた開閉角度９５〜１２０度とし，内側に向けた開閉角度を該外側に向けた開閉角度以上のものとすること，門柱の片側側面を拡開傾斜して，該拡開傾斜の側面側に扉体を吊支持するようにすること，調整金具に軸受を，ヒンジ金具に軸を配置してヒンジを形成すること，このときヒンジ金具を平面倒二分音符状のものとすること，端部カバーのベース受入用の切欠き乃至透孔の周縁及びその開口を閉塞する開口カバーを配置して，切欠き乃至透孔の加工による危険を回避するとともに端部カバーの開口を塞ぐようにすること等を含めて，本発明の実施に当って，門扉，門柱，扉体，必要に応じて用いる調整金具，ヒンジ金具，背面カバー，端部カバー等の各具体的形状，構造，材質，これらの関係，これらに対する付加等は，上記発明の要旨に反しない限り様々な形態のものとすることができる。
【図面の簡単な説明】
【００３９】
【図１】門扉の背面図である。
【図２】門柱への扉体吊支持状態を示す部分拡大断面図である。
【図３】扉体の内外双方向への開閉状態を示す部分拡大断面図である。
【図４】他の例にかかる門柱への扉体吊支持状態を示す部分拡大断面図である。
【符号の説明】
【００４０】
Ａ  門扉
１  門柱
１１  背面板
１２  ネジ透孔
１３  正面板
１４  連結板
１５  傾斜側面板
１６  裏板
１７  ネジ
１８  端部キャップ
２  扉体
２１  吊元框
２２  端部受座
２３  裏板
２４  端部キャップ
３  ヒンジ
３ａ  調整金具
３ｂ  ヒンジ金具
３１  金具ケース
３２  ネジ
３３  アーム
３４  軸
３５  ベース
３６  突出片
３７  軸受
３８  ネジ
４  背面カバー
５  端部カバー
５１  内側カバー部材
５２  外側カバー部材
５３  ネジ
【図１】
2009052323.tif 000003
【図２】
2009052323.tif 000004
【図３】
2009052323.tif 000005
【図４】
2009052323.tif 000006